【手続補正書】
【提出日】平成16年8月9日(2004.8.9)
【手続補正１】
【補正対象書類名】特許請求の範囲
【補正対象項目名】全文
【補正方法】変更
【補正の内容】
【特許請求の範囲】
【請求項１】
拡散ＯＦＤＭ無線通信システム（１００）に使用の受信機（１６０−１８０）であって、
無線拡散ＯＦＤＭ信号を受信する手段と、
前記の拡散ＯＦＤＭ信号を等化する手段と、
前記の等化された拡散ＯＦＤＭ信号を、第１部分及び第２部分を含む第１の複数の部分に分割する手段と、
第２部分を決定して、決定された第２部分を生成する手段と、
前記の決定された第２部分を前記の受信された拡散ＯＦＤＭ信号から減算して、第１差信号を生成する手段と、
第１差信号を等化し且つ処理して、前記の受信された信号の第１部分を回復し、第２部分による干渉項に起因した干渉を実質的に低減する手段と
を備える受信機。
【請求項２】
第１部分を決定して、決定された第１部分を生成する手段と、
第１部分を前記の等化された拡散ＯＦＤＭ信号から減算して、第２差信号を生成する手段と、
第２差信号を等化し且つ処理して、前記の受信された信号の第２部分を回復し、第１部分による干渉項に起因した干渉を実質的に低減する手段と
を更に備える請求項１記載の受信機。
【請求項３】
前記の決定された第１部分及び第２部分の代わりに前記の回復された第１部分及び第２部分を用いて処理することを所定数の更なる回数繰り返して、第１部分及び第２部分に対する一層信頼性のある推定を回復する手段を更に備える請求項２記載の受信機。
【請求項４】
前記の回復された受信信号を、数において前記第１の複数の部分より大きく且つ第１後続部分、第２後続部分、第３部分及び第４部分を含む第２の複数の部分に分割する手段と、
第２後続部分、第３部分及び第４部分を前記の回復された受信信号から減算して、第１後続差信号を生成する手段と、
第１後続差信号を処理して、前記の回復された受信信号の第１後続部分を回復し、第２部分、第３部分及び第４部分による干渉項に起因した干渉を実質的に低減する手段と、
第１後続部分を決定して、前記の決定された第１後続部分を生成する手段と、
第１後続部分、第３部分及び第４部分を前記受信された信号から減算して、第２後続差信号を生成する手段と、
第２後続差信号を処理して、前記の回復された受信信号の第２後続部分を回復し、第１部分、第３部分及び第４部分による干渉項に起因した干渉を実質的に低減する手段と、
第２後続部分を決定して、決定された第２後続部分を生成する手段と、
第１後続部分、第２後続部分及び第４部分を前記受信信号から減算して、第３差信号を生成する手段と、
第３差信号を処理して、前記の回復された受信信号の第３部分を回復し、第１部分、第２部分及び第４部分による干渉項に起因した干渉を実質的に低減する手段と、
第３部分を決定して、決定された第３部分を生成する手段と、
第１後続部分、第２後続部分及び第３部分を前記の受信された信号から減算して、第４差信号を生成する手段と、
第４差信号を処理して、前記の回復された受信信号の第４部分を回復し、第１部分、第２部分及び第３部分による干渉項に起因した干渉を実質的に低減する手段と、
第４部分を決定して、決定された第４部分を生成する手段と
を更に備える請求項１から３のいずれか一項に記載の受信機。
【請求項５】
前記の回復された第１後続部分、前記の回復された第２後続部分、前記の回復された第３部分及び前記の回復された第４部分のそれぞれに代わって前記の決定された第１後続部分、前記の決定された第２後続部分、前記の決定された第３部分及び前記の決定された第４部分を用いて処理することを所定数の更なる回数繰り返して、第１後続部分、第２後続部分、第３部分及び第４部分に対する一層信頼性のある推定を回復する手段を更に備える請求項４記載の受信機。
【請求項６】
前記等化し且つ処理する手段が、
チャネル係数に依存した要素を有する第１対角行列を乗算する第１行列乗算手段と、
ウォルシュ・アダマール行列の部分集合である第２行列を乗算する第２行列乗算手段と
を備える請求項１から５のいずれか一項に記載の受信機。
【請求項７】
前記等化し且つ処理する手段が、最小平均二乗誤差等化を実行する手段を備える請求項１から６のいずれか一項に記載の受信機。
【請求項８】
拡散ＯＦＤＭ無線通信システムに使用の受信機（１６０−１８０）であって、
最小平均二乗誤差等化を実行する手段を備え、
前記最小平均二乗誤差等化を実行する手段が、
チャネル係数に依存した要素を有する第１対角行列を乗算する第１行列乗算手段と、
ウォルシュ・アダマール行列の部分集合である第２行列を乗算する第２行列乗算手段とを備える、受信機。
【請求項９】
拡散ＯＦＤＭ無線通信システム（１００）に使用の受信機（１６０−１８０）を動作させる方法であって、
無線拡散ＯＦＤＭ信号を受信するステップと、
前記の拡散ＯＦＤＭ信号を等化するステップと、
前記の等化された拡散ＯＦＤＭ信号を、第１部分及び第２部分を含む第１の複数の部分に分割するステップと、
第２部分を決定して、決定された第２部分を生成するステップと、
前記の決定された第２部分を前記の受信された拡散ＯＦＤＭ信号から減算して、第１差信号を生成するステップと、
第１差信号を等化し且つ処理して、前記の受信された信号の第１部分を回復し、第２部分による干渉項に起因した干渉を実質的に低減するステップと
を備える、方法。
【請求項１０】
第１部分を決定して、決定された第１部分を生成するステップと、
第１部分を前記の等化された拡散ＯＦＤＭ信号から減算して、第２差信号を生成するステップと、
第２差信号を等化し且つ処理して、前記の受信された信号の第２部分を回復し、第１部分による干渉項に起因した干渉を実質的に低減するステップと
を更に備える請求項９記載の方法。
【請求項１１】
前記の決定された第１部分及び第２部分の代わりに前記の回復された第１部分及び第２部分を用いて処理することを所定数の更なる回数繰り返して、第１部分及び第２部分に対する一層信頼性のある推定を回復するステップを更に備える請求項１０記載の方法。
【請求項１２】
前記の回復された受信信号を、数において前記第１の複数の部分より大きく且つ第１後続部分、第２後続部分、第３部分及び第４部分を含む第２の複数の部分に分割するステップと、
第２後続部分、第３部分及び第４部分を前記の回復された受信信号から減算して、第１後続差信号を生成するステップと、
第１後続差信号を処理して、前記の回復された受信信号の第１後続部分を回復し、第２部分、第３部分及び第４部分による干渉項に起因した干渉を実質的に低減するステップと、
第１後続部分を決定して、前記の決定された第１後続部分を生成するステップと、
第１後続部分、第３部分及び第４部分を前記受信された信号から減算して、第２後続差信号を生成するステップと、
第２後続差信号を処理して、前記の回復された受信信号の第２後続部分を回復し、第１部分、第３部分及び第４部分による干渉項に起因した干渉を実質的に低減するステップと、
第２後続部分を決定して、決定された第２後続部分を生成するステップと、
第１後続部分、第２後続部分及び第４部分を前記の受信信号から減算して、第３差信号を生成するステップと、
第３差信号を処理して、前記の回復された受信信号の第３部分を回復し、第１部分、第２部分及び第４部分による干渉項に起因した干渉を実質的に低減するステップと、
第３部分を決定して、決定された第３部分を生成するステップと、
第１後続部分、第２後続部分及び第３部分を前記の受信信号から減算して、第４差信号を生成するステップと、
第４差信号を処理して、前記の回復された受信信号の第４部分を回復し、第１部分、第２部分及び第３部分による干渉項に起因した干渉を実質的に低減するステップと、
第４部分を決定して、決定された第４部分を生成するステップと
を更に備える請求項９から１１のいずれか一項に記載の方法。
【請求項１３】
前記の回復された第１後続部分、前記の回復された第２後続部分、前記の回復された第３部分及び前記の回復された第４部分のそれぞれに代わって前記の決定された第１後続部分、前記の決定された第２後続部分、前記の決定された第３部分及び前記の決定された第４部分を用いて処理することを所定数の更なる回数繰り返して、第１後続部分、第２後続部分、第３部分、及び第４部分に対する一層信頼性のある推定を回復するステップを更に備える請求項１２記載の方法。
【請求項１４】
前記第２の複数の部分が２より大きい２の整数倍である請求項１２記載の方法。
【請求項１５】
チャネル係数に依存した要素を有する第１対角行列を乗算するステップと、
ウォルシュ・アダマール行列の部分集合である第２行列を乗算するステップと
を備える請求項９から１４のいずれか一項に記載の方法。
【請求項１６】
最小平均二乗誤差等化を実行するステップを備える請求項９から１５のいずれか一項に記載の方法。
【請求項１７】
拡散ＯＦＤＭ無線通信システム（１００）において最小平均二乗誤差等化を実行する方法であって、
チャネル係数に依存した要素を有する第１対角行列を乗算するステップと、
ウォルシュ・アダマール行列の部分集合である第２行列を乗算するステップと
を備える方法。